【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
所定の取得条件の成立に基づいて判別情報を取得する判別情報取得手段と、
その判別情報取得手段によって取得された前記判別情報を用いて判別を実行する判別手段と、
その判別手段の判別結果が特定の判別結果になったことに基づいて遊技者に有利な特典遊技を実行することが可能な特典遊技実行手段と、を備えた遊技機において、
所定条件の成立に基づいて、遊技者に有利な第１状態を設定する第１状態設定手段と、
前記第１状態が設定された後で予め定められた第１回数の前記判別手段の判別に渡って連続して前記特定の判別結果とは異なる判別結果となったことに基づいて、前記第１状態よりも有利度合いが低い第２状態を設定する第２状態設定手段と、を備え、
前記第１状態が設定された後の前記判別手段の判別の回数が、前記第１回数未満の第２回数以下の回数の範囲と、前記第２回数よりも多い回数であって前記第１回数以下の回数の範囲とで、前記第１状態設定手段によって前記第１状態が設定される可能性が異なる構成であり、
前記遊技機は、
前記第１状態において前記判別手段の判別が実行されたことに基づいて、前記第１状態が設定される期待度を遊技者が把握し得る所定演出態様を少なくとも含む演出を実行する手段を有することを特徴とする遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて行われる抽選の結果が当たりだった場合に、当たり遊技を実行するものがある。かかる遊技機の中には、例えば、遊技者にとって有利度合いが異なる複数の状態を設定可能に構成することにより遊技者の遊技に対する興趣向上を図っているものがある。
【手続補正３】
【補正対象書類名】明細書
【補正対象項目名】０００４
【補正方法】変更
【補正の内容】
【０００４】
しかしながら、更なる興趣向上が求められている。
【手続補正４】
【補正対象書類名】明細書
【補正対象項目名】０００６
【補正方法】変更
【補正の内容】
【０００６】
この目的を達成するために請求項１記載の遊技機は、所定の取得条件の成立に基づいて判別情報を取得する判別情報取得手段と、その判別情報取得手段によって取得された前記判別情報を用いて判別を実行する判別手段と、その判別手段の判別結果が特定の判別結果になったことに基づいて遊技者に有利な特典遊技を実行することが可能な特典遊技実行手段と、を備え、所定条件の成立に基づいて、遊技者に有利な第１状態を設定する第１状態設定手段と、前記第１状態が設定された後で予め定められた第１回数の前記判別手段の判別に渡って連続して前記特定の判別結果とは異なる判別結果となったことに基づいて、前記第１状態よりも有利度合いが低い第２状態を設定する第２状態設定手段と、を備え、前記第１状態が設定された後の前記判別手段の判別の回数が、前記第１回数未満の第２回数以下の回数の範囲と、前記第２回数よりも多い回数であって前記第１回数以下の回数の範囲とで、前記第１状態設定手段によって前記第１状態が設定される可能性が異なる構成であり、前記遊技機は、前記第１状態において前記判別手段の判別が実行されたことに基づいて、前記第１状態が設定される期待度を遊技者が把握し得る所定演出態様を少なくとも含む演出を実行する手段を有する。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項１記載の遊技機によれば、所定の取得条件の成立に基づいて判別情報を取得する判別情報取得手段と、その判別情報取得手段によって取得された前記判別情報を用いて判別を実行する判別手段と、その判別手段の判別結果が特定の判別結果になったことに基づいて遊技者に有利な特典遊技を実行することが可能な特典遊技実行手段と、を備え、所定条件の成立に基づいて、遊技者に有利な第１状態を設定する第１状態設定手段と、前記第１状態が設定された後で予め定められた第１回数の前記判別手段の判別に渡って連続して前記特定の判別結果とは異なる判別結果となったことに基づいて、前記第１状態よりも有利度合いが低い第２状態を設定する第２状態設定手段と、を備え、前記第１状態が設定された後の前記判別手段の判別の回数が、前記第１回数未満の第２回数以下の回数の範囲と、前記第２回数よりも多い回数であって前記第１回数以下の回数の範囲とで、前記第１状態設定手段によって前記第１状態が設定される可能性が異なる構成であり、前記遊技機は、前記第１状態において前記判別手段の判別が実行されたことに基づいて、前記第１状態が設定される期待度を遊技者が把握し得る所定演出態様を少なくとも含む演出を実行する手段を有する。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】３０２９
【補正方法】変更
【補正の内容】
【３０２９】
上述した各遊技機のいずれかにおいて、前記遊技機はパチンコ遊技機とスロットマシンとを融合させたものであることを特徴とする遊技機γ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、始動入賞口への遊技球の入賞に基づいて行われる抽選の結果が当たりだった場合に、当たり遊技を実行するものがある。かかる遊技機の中には、遊技者にとって有利度合いが異なる複数の状態を設定可能にし、様々な状態において当たり遊技を目指す遊技を行わせることにより遊技者の遊技に対する興趣向上を図っているものがある（例えば、特許文献１：特開２００１−０３８００７号公報）。
しかしながら、更なる興趣の向上が求められている。
本技術的思想は、上記例示した問題点等を解決するためになされたものであり、遊技者の遊技に対する興趣を向上させることができる遊技機を提供することを目的としている。
＜手段＞
この目的を達成するために技術的思想１の遊技機は、第１の判別条件の成立に基づいて第１の判別を実行する第１判別手段と、前記第１の判別条件とは異なる第２の判別条件の成立に基づいて、前記第１の判別よりも遊技者にとっての有利度合いが高い第２の判別を実行する第２判別手段と、を有し、所定の設定条件の成立に基づいて、前記第１の判別条件が成立し易い第１遊技状態と、その第１遊技状態よりも遊技者に不利な第２遊技状態と、を少なくとも含む複数の遊技状態の中から１の遊技状態を設定する遊技状態設定手段を備え、前記遊技機は、前記第１遊技状態において前記設定条件が成立して前記第２遊技状態が設定された場合に、予め定められた特定条件が成立していれば、前記第１遊技状態よりも前記第２の判別条件が成立し易い第１状態を形成するように構成されているものである。
技術的思想２の遊技機は、技術的思想１記載の遊技機において、前記遊技機は、前記第１遊技状態において前記設定条件が成立して前記第２遊技状態が設定された場合に、予め定められた特定条件が成立していなければ、前記第１状態よりも前記第２の判別条件が成立し難い第２状態を形成するように構成されているものである。
技術的思想３の遊技機は、技術的思想１又は２記載の遊技機において、前記第１判別手段の判別結果と、前記第２判別手段の判別結果とのうちどちらかが予め定められた特定の判別結果になったことに基づいて、遊技者に有利な特典遊技を実行することが可能な特典遊技実行手段を備え、前記第１判別手段は、予め定められた第１の確率で前記特定の判別結果となるように構成されているものであり、前記第２判別手段は、前記第１の確率よりも高い第２の確率で前記特定の判別結果となるように構成されているものである。
技術的思想４の遊技機は、技術的思想３記載の遊技機において、前記遊技機は、前記第１状態において予め定められた第１条件が成立したことに基づいて、遊技状態の変更を伴わずに、前記第１状態よりも前記第２の判別条件が成立し難い第２状態を形成するように構成されているものである。
技術的思想５の遊技機は、技術的思想１から４の何れかに記載の遊技機において、遊技球が入球可能な第１入球手段と、その第１入球手段とは異なる第２入球手段と、前記第１入球手段へと遊技球が入球したことに基づいて前記第１判別手段の判別に用いるための第１判別情報を取得する第１判別情報取得手段と、前記第２入球手段へと遊技球が入球したことに基づいて前記第２判別手段の判別に用いるための第２判別情報を取得する第２判別情報取得手段と、前記第１判別情報取得手段によって取得された前記第１判別情報を、所定の情報数を上限として、前記第１判別手段の判別に用いられるまでの間記憶することが可能な第１記憶手段と、前記第２判別情報取得手段によって取得された前記第２判別情報を、所定の情報数を上限として、前記第２判別手段の判別に用いられるまでの間記憶することが可能な第２記憶手段と、を備え、前記第１判別手段は、前記第１記憶手段に記憶されている前記第１判別情報を用いて前記第１の判別を実行するものであり、前記第２判別手段は、前記第２記憶手段に記憶されている前記第２判別情報を用いて前記第２の判別を実行するものであり、前記第１の判別は、前記第２の判別よりも優先して実行されるように構成されているものであり、前記第１遊技状態は、前記第１入球手段と前記第２入球手段との両方に遊技球が入球し得るように構成されているものであり、前記第２遊技状態は、前記第１遊技状態よりも、前記第２入球手段に少なくとも遊技球が入球し難くなるように構成されているものである。
＜効果＞
技術的思想１記載の遊技機によれば、第１の判別条件の成立に基づいて第１の判別を実行する第１判別手段と、前記第１の判別条件とは異なる第２の判別条件の成立に基づいて、前記第１の判別よりも遊技者にとっての有利度合いが高い第２の判別を実行する第２判別手段と、を有し、所定の設定条件の成立に基づいて、前記第１の判別条件が成立し易い第１遊技状態と、その第１遊技状態よりも遊技者に不利な第２遊技状態と、を少なくとも含む複数の遊技状態の中から１の遊技状態を設定する遊技状態設定手段を備え、前記遊技機は、前記第１遊技状態において前記設定条件が成立して前記第２遊技状態が設定された場合に、予め定められた特定条件が成立していれば、前記第１遊技状態よりも前記第２の判別条件が成立し易い第１状態を形成するように構成されているものである。
これにより、遊技者の遊技に対する興趣を向上させることができるという効果がある。
技術的思想２記載の遊技機によれば、技術的思想１記載の遊技機の奏する効果に加え、前記遊技機は、前記第１遊技状態において前記設定条件が成立して前記第２遊技状態が設定された場合に、予め定められた特定条件が成立していなければ、前記第１状態よりも前記第２の判別条件が成立し難い第２状態を形成するように構成されているものである。
これにより、遊技者の遊技に対する興趣を向上させることができるという効果がある。
技術的思想３記載の遊技機によれば、技術的思想１又は２記載の遊技機の奏する効果に加え、前記第１判別手段の判別結果と、前記第２判別手段の判別結果とのうちどちらかが予め定められた特定の判別結果になったことに基づいて、遊技者に有利な特典遊技を実行することが可能な特典遊技実行手段を備え、前記第１判別手段は、予め定められた第１の確率で前記特定の判別結果となるように構成されているものであり、前記第２判別手段は、前記第１の確率よりも高い第２の確率で前記特定の判別結果となるように構成されているものである。
これにより、第１判別手段の判別回数と、第２判別手段の判別回数と、に注目して遊技を行わせることができるという効果がある。
技術的思想４記載の遊技機によれば、技術的思想３記載の遊技機の奏する効果に加え、前記遊技機は、前記第１状態において予め定められた第１条件が成立したことに基づいて、遊技状態の変更を伴わずに、前記第１状態よりも前記第２の判別条件が成立し難い第２状態を形成するように構成されているものである。
これにより、遊技者の遊技に対する興趣を向上させることができるという効果がある。
技術的思想５記載の遊技機によれば、技術的思想１から４の何れかに記載の遊技機の奏する効果に加え、遊技球が入球可能な第１入球手段と、その第１入球手段とは異なる第２入球手段と、前記第１入球手段へと遊技球が入球したことに基づいて前記第１判別手段の判別に用いるための第１判別情報を取得する第１判別情報取得手段と、前記第２入球手段へと遊技球が入球したことに基づいて前記第２判別手段の判別に用いるための第２判別情報を取得する第２判別情報取得手段と、前記第１判別情報取得手段によって取得された前記第１判別情報を、所定の情報数を上限として、前記第１判別手段の判別に用いられるまでの間記憶することが可能な第１記憶手段と、前記第２判別情報取得手段によって取得された前記第２判別情報を、所定の情報数を上限として、前記第２判別手段の判別に用いられるまでの間記憶することが可能な第２記憶手段と、を備え、前記第１判別手段は、前記第１記憶手段に記憶されている前記第１判別情報を用いて前記第１の判別を実行するものであり、前記第２判別手段は、前記第２記憶手段に記憶されている前記第２判別情報を用いて前記第２の判別を実行するものであり、前記第１の判別は、前記第２の判別よりも優先して実行されるように構成されているものであり、前記第１遊技状態は、前記第１入球手段と前記第２入球手段との両方に遊技球が入球し得るように構成されているものであり、前記第２遊技状態は、前記第１遊技状態よりも、前記第２入球手段に少なくとも遊技球が入球し難くなるように構成されているものである。
これにより、遊技者の遊技に対する興趣を向上させることができるという効果がある。
【手続補正１９】
【補正対象書類名】明細書
【補正対象項目名】３０３０
【補正方法】変更
【補正の内容】
【３０３０】
１０                      パチンコ機（遊技機）
６４ａ２                  右第１入球口（第１入球手段）
６４ｂ                    右第２入球口（第２入球手段）
２０３ａ                  特別図柄１保留球格納エリア（第１記憶手段）
２０３ａ２                特別図柄２保留球格納エリア（第２記憶手段）
Ｓ２２１                  特典遊技実行手段
Ｓ２１５ 第７実施形態における特典遊技実行手段の一部
Ｓ３０３，Ｓ３０７        第７実施形態における判別手段
Ｓ７０６                  第７実施形態における判別情報取得手段
Ｓ７５８                  第７実施形態における判別情報取得手段
Ｓ１６２２                遊技状態設定手段
Ｓ１７１７ 第７実施形態における特典遊技実行手段の一部